(57)【要約】【課題】撮影された医用画像を診断用画像として提供するまでにかかる時間を短縮化する。【解決手段】本発明に係る医用画像処理システム１００によれば、画像生成装置１において確認画面を表示してオペレータによる処理パラメータ、フォーマット条件の修正、確定入力を待機するのと並行して、医用画像データを画像処理装置２に送信し、当該医用画像データに対して、予め定められた処理パラメータに基づいて画像処理を施し、次いで、予め定められたフォーマット条件に基づいて画像フォーマッティング処理を施し、作成された出力用画像データを画像記録装置３に送信する。確認画面から予め定められた処理パラメータ及びフォーマット条件が確定された場合は、画像記録装置３から出力用画像データに基づいてフィルム上に画像を記録し出力する。【選択図】図１
2005287891.tif 000002
【特許請求の範囲】
【請求項１】
被写体を撮影し医用画像を生成する画像生成手段と、
前記生成された医用画像に対して予め定められた画像処理条件に基づき画像処理を施す、及び／又は、前記医用画像又は前記画像処理済みの医用画像を予め定められたフォーマット条件に基づき予め定められた合成枠及び／又は出力枠内に配置するための画像フォーマッティング処理を施す処理手段と、
前記処理手段により処理された医用画像を出力する出力手段と、
前記予め定められた画像処理条件及び／又は前記予め定められたフォーマット条件を修正する修正手段と、
前記予め定められたか又は前記修正された画像処理条件の何れか一方、及び／又は、前記予め定められたか又は前記修正されたフォーマット条件の何れか一方を確定するための確定入力手段と、
を備え、
前記確定入力手段による確定入力の待機時間中に、前記処理手段において、前記生成された医用画像に対して前記予め定められた画像処理条件及び／又は前記予め定められたフォーマット条件に基づく処理を実行し、
前記確定入力手段において前記予め定められた画像処理条件及び／又はフォーマット条件が確定された場合には、前記処理手段により処理された医用画像を前記出力手段により出力し、
前記確定入力手段において前記修正手段で修正された画像処理条件及び／又は修正されたフォーマット条件が確定された場合には、前記修正された画像処理条件及び／又は修正されたフォーマット条件に基づいて前記処理手段により再度前記医用画像に対する処理を施し、処理済みの医用画像を前記出力手段により出力することを特徴とする医用画像処理システム。
【請求項２】
前記出力手段は、記録媒体上に医用画像を記録し出力する画像記録装置であることを特徴とする請求項１に記載の医用画像処理システム。
【請求項３】
前記出力手段は、表示画面上に医用画像を表示する画像表示装置であることを特徴とする請求項１に記載の医用画像処理システム。
【請求項４】
被写体を撮影し医用画像を生成する画像生成工程と、
前記生成された医用画像に対して予め定められた画像処理条件に基づき画像処理を施す、及び／又は、前記医用画像又は前記画像処理済みの医用画像を予め定められたフォーマット条件に基づき予め定められた合成枠及び／又は出力枠内に配置するための画像フォーマッティング処理を施す処理工程と、
前記処理工程により処理された医用画像を出力する出力工程と、
前記予め定められた画像処理条件及び／又は前記予め定められたフォーマット条件を修正する修正工程と、
前記予め定められたか又は前記修正された画像処理条件の何れか一方、及び／又は、前記予め定められたか又は前記修正されたフォーマット条件の何れか一方を確定入力する確定入力工程と、
を有し、
前記確定入力工程による確定入力の待機時間中に、前記処理工程において、前記生成された医用画像に対して前記予め定められた画像処理条件及び／又は前記予め定められたフォーマット条件に基づく処理を実行し、
前記確定入力工程において前記予め定められた画像処理条件及び／又はフォーマット条件が確定された場合には、前記処理工程により処理された医用画像を前記出力工程により出力し、
前記確定入力工程において前記修正工程で修正された画像処理条件及び／又は修正されたフォーマット条件が確定された場合には、前記修正された画像処理条件及び／又は修正されたフォーマット条件に基づいて前記処理工程により再度前記医用画像に対する処理を施し、処理済みの医用画像を前記出力工程により出力することを特徴とする医用画像処理方法。
【発明の詳細な説明】
【技術分野】
【０００１】
本発明は、医用画像に対し医師の読影診断の効率化を図るための各種処理を施して出力する医用画像処理システム及び医用画像処理方法に関する。
【背景技術】
【０００２】
従来、放射線を利用したＣＴ（Computed Tomography）、ＭＲＩ（Magnetic Resonance Imaging）、ＣＲ（Computed Radiography）、ＦＰＤ（Flat Panel Detector）、超音波診断装置等の各種モダリティ（画像生成装置）によりデジタル画像として入力された医用画像は、医師の読影診断の効率化を図るための各種処理が施され、診断用画像としてＣＲＴ（Cathode Ray Tube）等のモニタに表示され、医師によりモニタ上で読影観察される。或いは、各種処理が施された後、医用画像は、画像記録装置によりフィルム等の記録媒体上に記録されてハードコピー出力され、診断用画像として医師によりシャーカステン上で読影観察される。
【０００３】
医師の読影診断の効率化を図るための各種処理としては、一般的に、階調処理、周波数処理、ダイナミックレンジ圧縮処理等の画像処理が施される（例えば、特許文献１参照）。また、関連する複数の医用画像を配置して合成する処理（例えば、特許文献２参照）、ＣＲＴの画像枠や記録媒体の出力枠内の読影し易い位置に画像を配置する処理（例えば、特許文献３参照）等の画像をフォーマッティングする処理（画像フォーマッティング処理）が施される。
【特許文献１】特開２００２−８００６号公報
【特許文献２】特開平９−２３８９３３号公報
【特許文献３】特開２００４−５２９号公報
【発明の開示】
【発明が解決しようとする課題】
【０００４】
ところで、従来、画像生成装置により生成された医用画像データに画像処理装置で画像処理、画像フォーマッティング処理を施して画像記録装置から出力する場合の医用画像処理シーケンスは、図７又は図８に示すようにして行われている。図７に示すシーケンスは、画像処理装置から直接画像記録装置へ処理済みの画像データを送信するものであり、図８に示すシーケンスは、画像処理装置から画像生成装置を介して画像記録装置へ処理済みの画像データを送信するものである。
【０００５】
以下、図７を参照して、従来の医用画像処理シーケンスについて説明する。
画像生成装置において、被写体が撮影され、医用画像データが生成されると（ステップＳ１６１）、生成された医用画像データの撮影部位及び撮影条件に応じて予め定められた画像処理に対応する処理パラメータが設定され（ステップＳ１６２）、更に、生成された医用画像データの撮影部位及び撮影条件に応じて予め定められたフォーマット条件が設定され（ステップＳ１６３）、モニタに、予め定められた処理パラメータを示す情報及び予め定められたフォーマット条件に基づいて医用画像を配置した確認画面が表示され（ステップＳ１６４）、確認画面からの処理パラメータの確定入力及びフォーマット条件の確定入力が待機される。確認画面において、予め定められた処理パラメータ及び予め定められたフォーマット条件を修正する必要があると判断された場合は、この確認画面から処理パラメータ及び／又はフォーマット条件を修正後、確定入力することが可能である。
【０００６】
確認画面から処理パラメータの確定が入力され（ステップＳ１６５）、更にフォーマット条件の確定が入力されると（ステップＳ１６６）、確定された処理パラメータ及びフォーマット条件を示す情報が医用画像データの付帯情報に付加され、医用画像データおよびその付帯情報が画像処理装置へ送信される（ステップＳ１６７）。
【０００７】
画像処理装置において、画像生成装置からの医用画像データ及びその付帯情報が受信されると（ステップＳ２６１）、当該医用画像データに対して、付帯された処理パラメータに基づいて画像処理が施され（ステップＳ２６２）、次いで、付帯されたフォーマット条件に基づいて画像処理済みの画像データに画像フォーマッティング処理が施されて出力用画像データが作成され（ステップＳ２６３）、出力用画像データが画像記録装置に送信される（ステップＳ２６４）。
【０００８】
画像記録装置において、出力用画像データが受信されると（ステップＳ３６１）、プリントが実行され、出力用画像データに基づきフィルム上に画像が記録され（ステップＳ３６２）、ハードコピー出力され（ステップＳ３６３）、図７に示す医用画像処理シーケンスは終了する。
【０００９】
図８に示す医用画像処理シーケンスは、画像生成装置において、図７におけるステップＳ１６１〜Ｓ１６７で説明したのと同様にしてステップＳ１７１〜Ｓ１７７が実行され、画像処理装置において図７におけるステップＳ２６１〜Ｓ２６３で説明したのと同様にしてステップＳ２７１〜Ｓ２７３が実行される。そして、画像処理装置において、画像生成装置に対して出力用画像データが送信され（ステップＳ２７４）、画像生成装置において出力用画像データが受信されると（ステップＳ１７８）、受信された出力用画像データが画像記録装置へ送信される（ステップＳ１７９）。
【００１０】
画像記録装置において出力用画像データが受信されると（ステップＳ３７１）、プリントが実行され、出力用画像データに基づきフィルム上に画像が記録され（ステップＳ３７２）、ハードコピー出力され（ステップＳ３７３）、図８に示す医用画像処理シーケンスは終了する。
【００１１】
図７、図８に示すように、従来は、医用画像データに適用する処理パラメータ及びフォーマット条件が確定してから医用画像に対する処理が開始されていた。そのため、撮影された医用画像に処理が施されて画像記録装置からハードコピー出力され、診断用画像として提供されるまでに時間がかかるという問題があった。また、撮影された医用画像に処理が施されて画像表示装置の表示画面上に表示することにより診断用画像を提供する場合や画像データベースに診断用画像を保存する場合においても同様の問題があった。
【００１２】
本発明の課題は、撮影された医用画像を診断用画像として提供するまでにかかる時間を短縮化することである。
【課題を解決するための手段】
【００１３】
上記課題を解決するため、請求項１に記載の医用画像処理システムは、
被写体を撮影し医用画像を生成する画像生成手段と、
前記生成された医用画像に対して予め定められた画像処理条件に基づき画像処理を施す、及び／又は、前記医用画像又は前記画像処理済みの医用画像を予め定められたフォーマット条件に基づき予め定められた合成枠及び／又は出力枠内に配置するための画像フォーマッティング処理を施す処理手段と、
前記処理手段により処理された医用画像を出力する出力手段と、
前記予め定められた画像処理条件及び／又は前記予め定められたフォーマット条件を修正する修正手段と、
前記予め定められたか又は前記修正された画像処理条件の何れか一方、及び／又は、前記予め定められたか又は前記修正されたフォーマット条件の何れか一方を確定するための確定入力手段と、
を備え、
前記確定入力手段による確定入力の待機時間中に、前記処理手段において、前記生成された医用画像に対して前記予め定められた画像処理条件及び／又は前記予め定められたフォーマット条件に基づく処理を実行し、
前記確定入力手段において前記予め定められた画像処理条件及び／又はフォーマット条件が確定された場合には、前記処理手段により処理された医用画像を前記出力手段により出力し、
前記確定入力手段において前記修正手段で修正された画像処理条件及び／又は修正されたフォーマット条件が確定された場合には、前記修正された画像処理条件及び／又は修正されたフォーマット条件に基づいて前記処理手段により再度前記医用画像に対する処理を施し、処理済みの医用画像を前記出力手段により出力することを特徴としている。
【００１４】
請求項２に記載の発明は、請求項１に記載の発明において、
前記出力手段は、記録媒体上に医用画像を記録し出力する画像記録装置であることを特徴としている。
【００１５】
請求項３に記載の発明は、請求項１に記載の発明において、
前記出力手段は、表示画面上に医用画像を表示する画像表示装置であることを特徴としている。
【００１６】
請求項４に記載の発明の医用画像処理方法は、
被写体を撮影し医用画像を生成する画像生成工程と、
前記生成された医用画像に対して予め定められた画像処理条件に基づき画像処理を施す、及び／又は、前記医用画像又は前記画像処理済みの医用画像を予め定められたフォーマット条件に基づき予め定められた合成枠及び／又は出力枠内に配置するための画像フォーマッティング処理を施す処理工程と、
前記処理工程により処理された医用画像を出力する出力工程と、
前記予め定められた画像処理条件及び／又は前記予め定められたフォーマット条件を修正する修正工程と、
前記予め定められたか又は前記修正された画像処理条件の何れか一方、及び／又は、前記予め定められたか又は前記修正されたフォーマット条件の何れか一方を確定入力する確定入力工程と、
を有し、
前記確定入力工程による確定入力の待機時間中に、前記処理工程において、前記生成された医用画像に対して前記予め定められた画像処理条件及び／又は前記予め定められたフォーマット条件に基づく処理を実行し、
前記確定入力工程において前記予め定められた画像処理条件及び／又はフォーマット条件が確定された場合には、前記処理工程により処理された医用画像を前記出力工程により出力し、
前記確定入力工程において前記修正工程で修正された画像処理条件及び／又は修正されたフォーマット条件が確定された場合には、前記修正された画像処理条件及び／又は修正されたフォーマット条件に基づいて前記処理工程により再度前記医用画像に対する処理を施し、処理済みの医用画像を前記出力工程により出力することを特徴としている。
【発明の効果】
【００１７】
請求項１、４に記載の発明によれば、予め定められたか又は修正された画像処理条件の何れか一方、及び／又は、予め定められたか又は修正されたフォーマット条件の何れか一方を確定するための確定入力の待機時間中に、被写体を撮影して生成された医用画像に対して予め定められた画像処理条件及び／又は予め定められたフォーマット条件に基づく処理を実行することで、医用画像に処理を施して出力し、診断用画像として提供するまでにかかる時間を短縮することが可能となる。
【００１８】
請求項２に記載の発明によれば、医用画像に処理を施し、処理済みの医用画像を記録媒体上に記録して画像記録装置から出力し、診断用画像として提供するまでにかかる時間を短縮することが可能となる。
【００１９】
請求項３に記載の発明によれば、医用画像に処理を施し、処理済みの医用画像を画像表示装置に表示して診断用画像として提供するまでにかかる時間を短縮することが可能となる。
【発明を実施するための最良の形態】
【００２０】
まず、本実施の形態の構成について説明する。
図１は、本実施の形態における医用画像処理システム１００の全体構成を示す概念図である。図１に示すように、医用画像処理システム１００は、画像生成装置１、画像処理装置２、画像記録装置３等がネットワークＮを介して、相互にデータ送受信可能なように接続されている。
【００２１】
なお、本実施の形態では、画像生成装置１、画像処理装置２及び画像記録装置３がネットワーク接続された例を説明するが、これに限らず、各装置が直接有線接続されたシステム構成であってもよい。また、各装置の台数及び設置場所は特に限定されない。
【００２２】
ネットワークＮは、ＬＡＮ（Local Area Network）やＷＡＮ（Wide Area Network）、インターネット等の様々な回線形態を適用可能である。なお、病院等の医療機関内で許可されるのであれば、無線通信や赤外線通信であってもよいが、重要な患者情報を含むため、送受信される情報は暗号化することが好ましい。また、病院内の通信方式としては、一般的に、ＤＩＣＯＭ（Digital Image and Communications in Medicine）規格が用いられており、上述したネットワークＮ上の各装置間の通信では、ＤＩＣＯＭ  ＭＷＭ(Modality Worklist Management）やＤＩＣＯＭ  ＭＰＰＳ（Modality Performed Procedure Step）が用いられる。
【００２３】
画像生成装置１は、例えば、ＣＲ（Computed Radiography）、ＦＰＤ（Flat Panel Detector）、ＣＴ（Computed Tomography）、ＭＲＩ（Magnetic Resonance Imaging）、超音波診断装置等のモダリティから構成され、人体を撮影し、撮影した画像をデジタル変換して、医用画像データを生成する装置である。本実施の形態においては、画像生成装置１は、左右乳房の放射線撮影を行い、左乳房画像データ及び右乳房画像データを生成するＣＲ装置として説明する。
【００２４】
画像生成装置１は、ＣＰＵ（Central Processing Unit）、ＲＡＭ（Random Access Memory）、磁気的又は光学的記憶媒体若しくは半導体メモリで構成される記憶部、ＣＲＴ（Cathode Ray Tube）・液晶ディスプレイ・プラズマディスプレイ等のモニタ、マウス・キーボード等の操作手段、人体を透過した放射線像を読み取って医用画像データを生成する画像読取手段、ネットワークＮ上の各装置との通信を制御する通信手段等により構成されている。画像生成装置１は、ＣＰＵと、記憶部に記憶されているプログラムとの協働によるソフトウエア処理により、後述する医用画像処理シーケンスＡ、Ｂにおける画像生成装置１処理を実行する。また、画像生成装置の記憶部には、撮影部位及び撮影条件に応じて予め定められた処理パラメータ及びフォーマット条件が記憶されている。
【００２５】
なお、画像生成装置１は上述したＤＩＣＯＭ規格に準拠した装置であり、医用画像に対して、ＤＩＣＯＭの画像付帯情報（以下、付帯情報と称する）を入力させたり、自動生成したりすることができる。画像生成装置１は、生成された医用画像データとともにその付帯情報を医用画像データのヘッダ情報としてネットワークＮを介して画像処理装置２へ出力するものとするが、ＤＩＣＯＭ規格に不準拠の場合、図示しないＤＩＣＯＭ変換装置を用い、付帯情報を入力させることができる。
【００２６】
医用画像の付帯情報としては、例えば、撮影された患者の患者氏名、患者ＩＤ、年齢、性別等の患者に関する患者情報、撮影日、検査ＩＤ、撮影部位、撮影条件（体位、撮影方向等）、画像生成装置（モダリティ種）情報等の撮影情報が含まれる。
【００２７】
画像処理装置２は、画像生成装置１から供給される医用画像に対し医師の読影診断の効率化を図るための各種処理を施して出力用画像データを生成し、画像記録装置３へ送信する装置であり、ＣＰＵ、ＲＡＭ、磁気的又は光学的記憶媒体若しくは半導体メモリで構成される記憶部、ＣＲＴ・液晶ディスプレイ・プラズマディスプレイ等のモニタ、マウス・キーボード等の操作手段、ネットワークＮ上の各装置との通信を制御する通信手段等により構成される。画像処理装置２は、ＣＰＵと、記憶部に記憶されているプログラムとの協働によるソフトウエア処理により、処理手段として、医用画像データに対して、所定の部位の濃度が一定になるように仕上げる自動階調処理、周波数処理、ダイナミックレンジ圧縮処理を始めとする画像処理や画像フォーマッティング処理、後述する医用画像処理シーケンスＡ、Ｂの画像処理装置２処理を実行する。
【００２８】
画像記録装置３は、例えば、光熱銀塩方式のプリンタであり、画像処理装置２から受信された出力用画像データに基づいて、記録媒体（ここでは、フィルムとする）上に医用画像を可視像として再生したハードコピーを出力する出力手段であり、ＣＰＵ、ＲＡＭ、磁気的又は光学的記憶媒体若しくは半導体メモリで構成される記憶部、フィルムを記録手段に搬送する搬送手段、搬送されたフィルムにレーザ露光することによって潜像を記録し、熱現象処理により潜像を可視化する記録手段、ネットワークＮ上の各装置との通信を制御する通信手段等により構成される。画像記録装置３は、ＣＰＵと、記憶部に記憶されているプログラムとの協働によるソフトウエア処理により、後述する医用画像処理シーケンスＡ、Ｂにおける画像記録装置３処理を実行する。なお、本実施の形態においては、光熱銀塩方式のプリンタを例にとり説明するが、記録方式はこれに限定されるものではない。
【００２９】
次に、本実施の形態における動作について説明する。
本実施の形態において以下に説明する医用画像処理シーケンスＡ、Ｂは、画像生成装置１で医用画像データを生成し、生成された医用画像データに画像処理及び画像フォーマッティング処理を施して画像記録装置３からハードコピー出力することにより診断用画像を提供するものである。
（医用画像処理シーケンスＡ）
図２〜３は、医用画像処理システム１００において実行される医用画像処理シーケンスＡを示すフローチャートである。医用画像処理シーケンスＡは、画像処理装置２で処理された処理済み画像データである出力用画像データを画像処理装置２から画像記録装置３へ直接送信する場合のシーケンスである。図２は、処理パラメータ及びフォーマット条件に修正のないケース、図３は、処理パラメータ及びフォーマット条件の双方に修正のあるケースを示している。
【００３０】
まず、図２を参照して、処理パラメータ及びフォーマット条件に修正のない場合の医用画像処理シーケンスＡについて説明する。
画像生成装置１において、被写体が撮影され、医用画像データが生成されると（ステップＳ１０１）、生成された医用画像データの撮影部位及び撮影条件に応じて予め定められた処理パラメータが設定され（ステップＳ１０２）、更に、生成された医用画像データの撮影部位及び撮影条件に応じて予め定められたフォーマット条件が設定され（ステップＳ１０３）、モニタに、予め定められた処理パラメータを示す情報及び予め定められたフォーマット条件に基づいて医用画像を配置した確認画面１１が表示され（ステップＳ１０４）、予め定められた処理パラメータ及びフォーマット条件を示す情報が医用画像データの付帯情報に付加され、医用画像データ及びその付帯情報が画像処理装置２に送信される（ステップ１０５）。そして、画像生成装置１においては、確認画面１１からの処理パラメータの確定入力及びフォーマット条件の確定入力が待機される。
【００３１】
処理パラメータは、例えば、濃度補正値、コントラスト値、周波数強調度、階調変換曲線の傾き等が挙げられる。また、フォーマット条件としては、例えば、一連の撮影により得られた医用画像データ（同一患者の同一撮影部位を撮影して得られた医用画像データ）を合成する場合の各画像の合成枠に対する配置位置（合成位置）、フィルムの出力枠に対する配置位置（出力位置）、回転、反転等が挙げられる。
【００３２】
図４（ａ）（ｂ）に、ステップＳ１０４において画像生成装置１のモニタに表示される確認画面１１の一例を示す。図４（ａ）（ｂ）の確認画面１１は、ステップＳ１０１において、左右の乳房を上下方向（ＣＣ；Cranio-Caudal）から撮影して左乳房画像データ（画像データＬ）及び右乳房画像データ（画像データＲ）が生成された場合に表示される確認画面であり、オペレータが操作手段のマウスやキーボード等により当該画面上に表示された各種ボタンや修正バーを操作することにより、処理パラメータやフォーマット条件の修正、確定入力が可能となる。即ち、確認画面１１は、確認入力手段及び修正手段を実現するものである。
【００３３】
図４（ａ）に示すように、確認画面１１上には、処理パラメータの修正入力及び確定入力を行うための画面１１ａがポップアップ表示される。当該画面１１ａから確定ボタン１１ｂが押下されることにより、画面１１ａの表示に応じた処理パラメータが確定可能である。確定ボタン１１ｂが押下されると、当該画面１１ａは閉じられ、図４（ｂ）に示すように、確認画面１１に表示されている医用画像全体が表示される。
【００３４】
図４（ｂ）に示すように、確認画面１１において、画面枠１１ｃは、合成枠１１ｄ及びフィルム枠を示す出力枠１１ｅと一致している。図４（ｂ）に示すように、確認画面１１上において、予め定められたフォーマット条件に基づき、画像データＬ及び画像データＲは、互いの胸壁側を合わせ、それぞれの胸壁部の境界線の延在方向が合成枠１１ｄ及び出力枠１１ｅを示す画面枠１１ｃの上下方向と平行になるように二面並べられ、二面の画像の上下方向の中央位置が画面枠１１ｃの中央位置と一致するように合成枠１１ｄ及び出力枠１１ｅに対して画像データＬ及び画像データＲがデフォルトで配置されて表示されている。例えば、左右の乳房位置が相対的にずれていたり、画像データ中の被写体領域が偏っており被写体領域がデフォルトの設定では出力枠に偏って配置されたりしている場合等、配置位置の修正が必要な場合においては、画像生成装置１の操作手段のマウス等により、位置を修正する画像データの領域を選択してドラッグする等により、画像の配置位置を修正することが可能である。また、確認位置１１には、確定ボタン１１ｆが設けられており、この確定ボタン１１ｆを押下することにより、画像データＬ及び画像データＲの合成枠１１ｄ及び出力枠１１ｅに対する配置位置を確定し、フォーマット条件を確定させることが可能となる。なお、確認画面１１から処理パラメータ及び位置の修正が行われた場合には、処理パラメータ及びフォーマット条件を修正するための修正情報が生成される。
【００３５】
画像処理装置２において、画像生成装置１からの医用画像データ及びその付帯情報が受信されると（ステップＳ２０１）、画像生成装置１における確定入力の待機時間中に、受信された医用画像データに対して、付帯された処理パラメータに基づいて画像処理が施され（ステップＳ２０２）、次いで、付帯されたフォーマット条件に基づいて画像処理済みの画像データに画像フォーマッティング処理が施されて出力用画像データが作成される（ステップＳ２０３）。画像のフォーマッティングには、合成枠、出力枠に対する医用画像の配置、出力枠内においてデータが存在しない空き領域に対する黒化処理（所定の濃度値以上、例えば、被写体領域における最小濃度値より高濃度の値に変換する処理）、出力枠からはみ出たデータの削除等の処理が含まれる。作成された出力用画像データは、画像記録装置３へ送信される（ステップＳ２０４）。なお、ステップＳ２０１で受信された医用画像データ、ステップＳ２０２で処理された画像処理済みの画像データ、ステップＳ２０３で作成された出力用画像データはそれぞれ記憶部に一時記憶される。
【００３６】
画像記録装置３においては、画像処理装置２からの出力用画像データが受信されると（ステップＳ３０１）、画像生成装置１からの出力の許可コマンドの受信が待機される。
【００３７】
一方、画像生成装置１においては、画像処理装置２における画像処理及び画像フォーマッティング処理と並行して、オペレータにより確認画面１１から処理パラメータの確認及びフォーマット条件の確認が行われる。画像生成装置１の確認画面上から処理パラメータが確定入力されると（ステップＳ１０６）、フォーマット条件の確定入力が待機され、フォーマット条件が確定入力されると（ステップＳ１０７）、画像記録装置３に対して許可コマンドが送信される（ステップＳ１０８）。
【００３８】
画像記録装置３において、画像生成装置１から許可コマンドが受信されると（ステップＳ３０２）、記録手段によりプリントが実行され、出力用画像データに基づきフィルム上に画像が記録され（ステップＳ３０３）、ハードコピー出力され（ステップＳ３０４）、図２に示す医用画像処理シーケンスＡは終了する。
【００３９】
図２に示す医用画像処理シーケンスＡは、予め定められた処理パラメータ及びフォーマット条件の修正のない場合を説明したものであるが、この場合、画像生成装置１において確認画面１１を表示してオペレータによる修正及び確定入力を待機する待機時間中に医用画像データを画像処理装置２に送信し、画像処理装置２において医用画像データに対する処理を実行する。即ち、画像生成装置１において確認画面１１を表示してオペレータによる修正及び確定入力を待機するのと並行して、画像処理装置２において、当該医用画像データに対して、予め定められた処理パラメータに基づいて画像処理を施し、次いで、予め定められたフォーマット条件に基づいて画像フォーマッティング処理を施し、作成された出力用画像データを画像記録装置３に送信し、画像記録装置３において画像生成装置１からの許可コマンドを待機する。画像生成装置１において、オペレータによる予め定められた処理パラメータ及びフォーマット条件の確定が入力されると、画像記録装置３に許可コマンドを送信する。画像記録装置３は、許可コマンドを受信すると、出力画像データに基づいてフィルム上に画像を記録し、出力する。即ち、従来のシーケンスで処理する場合に比べ、凡そ、画像生成装置１におけるオペレータによる修正及び確定入力の待機と、画像処理装置２における医用画像データへの処理が並行する時間（図２においては、ステップＳ２０１〜２０４の処理時間（ｔ５〜ｔ１２）から許可コマンドの送受信に係る時間（ｔ１４〜ｔ１５）を差し引いた時間に相当する時間（ｔ２１〜ｔ２８））、撮影から画像の出力までにかかる時間、即ち、撮影から診断用画像の提供までにかかる時間を短縮することが可能となる。
【００４０】
次に、図３を参照して、処理パラメータ及びフォーマット条件に修正がある場合の医用画像処理シーケンスＡについて説明する。
画像生成装置１において、被写体が撮影され、医用画像データが生成されると（ステップＳ１１１）、生成された医用画像データの撮影部位及び撮影条件に応じて予め定められた処理パラメータが設定され（ステップＳ１１２）、更に、生成された医用画像データの撮影部位及び撮影条件に応じて予め定められたフォーマット条件が設定され（ステップＳ１１３）、モニタに、予め定められた処理パラメータを示す情報及び予め定められたフォーマット条件に基づいて医用画像を配置した確認画面１１（図４（ａ）（ｂ）参照）が表示され（ステップＳ１１４）、予め定められた処理パラメータ及びフォーマット条件を示す情報が医用画像データの付帯情報に付加され、医用画像データ及びその付帯情報が画像処理装置２に送信される（ステップ１１５）。そして、画像生成装置１においては、確認画面１１からの処理パラメータの確定入力及びフォーマット条件の確定入力が待機される。
【００４１】
画像処理装置２において、画像生成装置１からの医用画像データ及びその付帯情報が受信されると（ステップＳ２１１）、画像生成装置１における確定入力の待機時間中に受信された医用画像データに対して、付帯された処理パラメータに基づいて画像処理が施され（ステップＳ２１２）、次いで、付帯されたフォーマット条件に基づいて画像処理済みの画像データに画像フォーマッティング処理が施される（ステップＳ２１３）。なお、ステップＳ２１１で受信された医用画像データ、ステップＳ２１２で処理された画像処理済みの画像データはそれぞれ記憶部に一時記憶される。
【００４２】
一方、画像生成装置１においては、ステップＳ２１３の画像フォーマッティング処理と並行して確認画面１１の画面１１ａから処理パラメータが修正され、修正された処理パラメータが確定入力されると（ステップＳ１１６）、処理パラメータの修正情報が作成されて画像処理装置２へ送信される（ステップＳ１１７）。
【００４３】
画像処理装置２において、画像生成装置１から修正情報が受信されると（ステップＳ２１４）、処理中の画像フォーマッティング処理が中止され、修正情報に基づいて、再度ステップＳ２１１で記憶部に記憶された医用画像データに対して画像処理が施され（ステップＳ２１５）、次いで、付帯されたフォーマット条件に基づいて画像処理済みの画像データに画像フォーマッティング処理が施される（ステップＳ２１６）。なお、ステップＳ２１５で処理された画像処理済みの画像データは記憶部に一時記憶される。
【００４４】
一方、画像生成装置１においては、ステップＳ２１６の画像フォーマッティング処理と並行して、確認画面１１から医用画像の配置位置が修正され、修正されたフォーマット条件が確定入力されると（ステップＳ１１８）、フォーマット条件の修正情報が作成され画像処理装置２へ送信される（ステップＳ１１９）。また、プリント待ちの出力用画像データがある場合にその消去を指示するための消去コマンドが画像記録装置３に送信され（ステップＳ１２０）、次いで、許可コマンドが画像記録装置３に送信される（ステップＳ１２１）。
【００４５】
画像処理装置２において、画像生成装置１からフォーマット条件の修正情報が受信されると（ステップＳ２１７）、処理中の画像フォーマッティング処理が中止され、修正情報に基づいて、再度ステップＳ２１５で記憶部に記憶された医用画像データに対して画像フォーマッティング処理が施されて出力用画像データが作成され（ステップＳ２１８）、作成された出力用画像データが画像記録装置３に送信される（ステップＳ２１９）。
【００４６】
画像記録装置３において、画像生成装置１から消去コマンドが受信されると（ステップＳ３１１）、プリント待ちの出力用画像データが消去される。図３においては、プリント待ちの出力用画像データはないので、特に処理は行われない。消去コマンドに続いて、画像生成装置１から許可コマンドが受信され（ステップＳ３１２）、許可コマンド受信後に画像処理装置２から出力用画像データが受信されると（ステップＳ３１３）記録手段によりプリントが実行され、出力用画像データに基づきフィルム上に画像が記録され（ステップＳ３１４）、ハードコピー出力され（ステップＳ３１５）、図３に示す医用画像処理シーケンスＡは終了する。
【００４７】
図３に示す医用画像処理シーケンスＡは、予め定められた処理パラメータ及びフォーマット条件の修正がある場合を説明したものであるが、この場合、画像生成装置１において確認画面１１を表示してオペレータによる修正及び確定入力を待機する待機時間中に、医用画像データを画像処理装置２に送信し、画像処理装置２における医用画像データに対する処理を実行する。即ち、画像生成装置１において確認画面を表示してオペレータによる修正及び確定入力を待機するのと並行して、画像処理装置２において、当該医用画像データに対して、予め定められた処理パラメータに基づいて画像処理を施し、次いで、予め定められたフォーマット条件に基づいて画像フォーマッティング処理を施す。画像処理装置２において、画像生成装置１から処理パラメータの修正情報を受信すると、再度医用画像データに対して、受信された処理パラメータの修正情報に基づいて再度画像処理を施す。画像処理装置２において、画像生成装置１からフォーマット条件の修正情報を受信すると、画像処理の終了後、画像処理済みの画像データに対して、受信されたフォーマット条件の修正情報に基づいて再度画像フォーマッティング処理を実行し、出力用画像データを作成し、画像記録装置３に送信する。画像記録装置３において画像生成装置１からの許可コマンドを受信後に出力用画像データを受信すると、出力画像データに基づいてフィルム上に画像を記録し、出力する。即ち、従来のシーケンスで処理する場合に比べ、処理パラメータ及びフォーマット条件に修正があっても、図３においては、凡そ、画像生成装置１から画像処理装置２への医用画像データ転送時間（ｔ５〜ｔ６）及び処理パラメータの修正情報を受信してからフォーマット条件の修正情報を受信するまでに行った画像処理時間（ｔ１０〜ｔ１３）からフォーマット条件の修正情報の送受信にかかる時間（ｔ１４〜ｔ１５）を差し引いた時間に相当する時間（ｔ２６〜ｔ２８）分、撮影から画像の出力までにかかる時間、即ち、撮影から診断用画像の提供までにかかる時間を短縮することが可能となる。
【００４８】
なお、フォーマット条件には修正があるが処理パラメータに修正がない場合も、上述した時間分と同様の短縮が可能である。また、処理パラメータには修正があるがフォーマット条件に修正がない場合は、画像生成装置１から画像処理装置２への医用画像データ転送時間（ｔ５〜ｔ６）及び処理パラメータの修正情報の送受信後フォーマット条件が確定されるまでの時間（ｔ１０〜ｔ１４）に相当する時間、撮影から画像の出力までにかかる時間、即ち、撮影から診断用画像の提供までにかかる時間を短縮することが可能となる。
【００４９】
（医用画像処理シーケンスＢ）
次に、画像処理装置２で処理された出力用画像データを、画像生成装置１を介して画像記録装置３へ送信する場合のシーケンスである医用画像処理シーケンスＢについて説明する。
図５〜６は、医用画像処理システム１００において実行される医用画像処理シーケンスＢを示すフローチャートである。図５は、処理パラメータ及びフォーマット条件に修正のないケース、図６は、処理パラメータ及びフォーマット条件の双方に修正のあるケースを示している。
【００５０】
まず、図５を参照して、修正のない場合の医用画像処理シーケンスＢについて説明する。
画像生成装置１において、被写体が撮影され、医用画像データが生成されると（ステップＳ１３１）、生成された医用画像データの撮影部位及び撮影条件に応じて予め定められた処理パラメータが設定され（ステップＳ１３２）、更に、生成された医用画像データの撮影部位及び撮影条件に応じて予め定められたフォーマット条件が設定され（ステップＳ１３３）、モニタに、予め定められた処理パラメータを示す情報及び予め定められたフォーマット条件に基づいて医用画像を配置した確認画面１１（図４（ａ）（ｂ）参照）が表示され（ステップＳ１３４）、予め定められた処理パラメータ及びフォーマット条件を示す情報が医用画像データの付帯情報に付加され、医用画像データ及びその付帯情報が画像処理装置２に送信される（ステップ１３５）。そして、画像生成装置１においては、確認画面１１からの処理パラメータの確定入力及びフォーマット条件の確定入力が待機される。
【００５１】
処理パラメータは、例えば、濃度補正値、コントラスト値、周波数強調度、階調変換曲線の傾き等が挙げられる。また、フォーマット条件としては、例えば、一連の撮影により生成された医用画像データ（同一患者の同一撮影部位を撮影して得られた医用画像データ）を合成する場合の各画像の予め設定された合成枠に対する配置位置（合成位置）、フィルムの出力枠に対する配置位置（出力位置）、回転、反転等が挙げられる。
【００５２】
画像処理装置２において、画像生成装置１からの医用画像データ及びその付帯情報が受信されると（ステップＳ２３１）、画像生成装置１における確定入力の待機時間に、受信された医用画像データに対して、付帯された処理パラメータに基づいて画像処理が施され（ステップＳ２３２）、次いで、付帯されたフォーマット条件に基づいて画像処理済みの画像データに画像フォーマッティング処理が施されて出力用画像データが作成される（ステップＳ２３３）。画像のフォーマッティングには、合成枠、出力枠に対する医用画像の配置、出力枠内においてデータが存在しない空き領域に対する黒化処理（所定の濃度値以上、例えば、被写体領域における最小濃度値より高濃度の値に変換する処理）、出力枠からはみ出たデータの削除等の処理が含まれる。作成された出力用画像データは、画像生成装置１へ送信される（ステップＳ２３４）。なお、ステップＳ２３１で受信された医用画像データ、ステップＳ２３２で処理された画像処理済みの画像データ、ステップＳ２３３で作成された出力用画像データはそれぞれ記憶部に一時記憶される。
【００５３】
一方、画像生成装置１においては、画像処理装置２における画像処理及び画像フォーマッティング処理と並行して、オペレータにより確認画面１１から処理パラメータの確認及びフォーマット条件の確認が行われる。画像生成装置１の確認画面１１上から処理パラメータの確定が指示入力されると（ステップＳ１３６）、フォーマット条件の確定入力が待機される。この間、画像処理装置２から出力用画像データが送信されると、通信手段により受信され（ステップＳ１３７）、フォーマッティング条件が確定入力されると（ステップＳ１３８）、出力用画像データが画像記録装置３へ送信される（ステップＳ１３９）。
【００５４】
画像記録装置３においては、画像生成装置１から出力用画像データが受信されると（ステップＳ３３１）、記録手段によりプリントが実行され、出力用画像データに基づきフィルム上に画像が記録され（ステップＳ３３２）、ハードコピー出力され（ステップＳ３３３）、図５に示す医用画像処理シーケンスＢは終了する。
【００５５】
図５に示す医用画像処理シーケンスＢは、予め定められた処理パラメータ及びフォーマット条件の修正のない場合を説明したものであるが、この場合、画像生成装置１において確認画面１１を表示してオペレータによる修正及び確定入力を待機する待機時間に、医用画像データを画像処理装置２に送信し、画像処理装置２における医用画像データに対する処理を実行する。即ち、画像生成装置１において確認画面１１を表示してオペレータによる修正及び確定入力を待機するのと並行して、画像処理装置２において、当該医用画像データに対して、予め定められた処理パラメータに基づいて画像処理を施し、次いで、予め定められたフォーマット条件に基づいて画像フォーマッティング処理を施し、作成された出力用画像データを画像生成装置１に送信する。画像生成装置１において、オペレータによる予め定められた処理パラメータ及びフォーマット条件の確定が入力されると、画像処理装置２から送信された出力用画像データを画像記録装置３に送信する。画像記録装置３は、出力用画像データを受信すると、これに基づいてフィルム上に画像を記録し、出力する。即ち、凡そ、画像生成装置１におけるオペレータによる修正及び確定入力の待機と、画像処理装置２における医用画像データへの処理が並行する時間（図５においては、ステップＳ２３１〜２３４の処理時間（ｔ１０５〜ｔ１１２）に相当する時間（ｔ１２１〜ｔ１２８）、撮影から画像の出力までにかかる時間、即ち、撮影から診断用画像の提供までにかかる時間を短縮することが可能となる。
【００５６】
次に、図６を参照して、処理パラメータ及びフォーマット条件に修正がある場合の医用画像処理シーケンスＢについて説明する。
画像生成装置１において、被写体が撮影され、医用画像データが生成されると（ステップＳ１４１）、生成された医用画像データの撮影部位及び撮影条件に応じて予め定められた処理パラメータが設定され（ステップＳ１４２）、更に、生成された医用画像データの撮影部位及び撮影条件に応じて予め定められたフォーマット条件が設定され（ステップＳ１４３）、モニタに、予め定められた処理パラメータを示す情報及び予め定められたフォーマット条件に基づいて医用画像を配置した確認画面１１（図４（ａ）（ｂ）参照）が表示され（ステップＳ１４４）、予め定められた処理パラメータ及びフォーマット条件を示す情報が医用画像データの付帯情報に付加され、医用画像データ及びその付帯情報が画像処理装置２に送信される（ステップ１４５）。そして、画像生成装置１においては、確認画面１１からの処理パラメータの確定入力及びフォーマット条件の確定入力が待機される。
【００５７】
画像処理装置２において、画像生成装置１からの医用画像データ及びその付帯情報が受信されると（ステップＳ２４１）、画像生成装置１における確定入力の待機時間に、受信された医用画像データに対して、付帯された処理パラメータに基づいて画像処理が施され（ステップＳ２４２）、次いで、付帯されたフォーマット条件に基づいて画像処理済みの画像データに画像フォーマッティング処理が施される（ステップＳ２４３）。なお、ステップＳ２４１で受信された医用画像データ、ステップＳ２４２で処理された画像処理済みの画像データはそれぞれ記憶部に一時記憶される。
【００５８】
一方、画像生成装置１においては、ステップＳ２４３の画像フォーマッティング処理と並行して確認画面１１の画面１１ａから処理パラメータが修正され、修正された処理パラメータが確定入力されると（ステップＳ１４６）、処理パラメータの修正情報が作成され画像処理装置２へ送信される（ステップＳ１４７）。
【００５９】
画像処理装置２において、画像生成装置１から修正情報が受信されると（ステップＳ２４４）、処理中の画像フォーマッティング処理が中止され、修正情報に基づいて、再度ステップＳ２４１で記憶部に記憶された医用画像データに対して画像処理が施され（ステップＳ２４５）、次いで、付帯されたフォーマット条件に基づいて画像処理済みの画像データに画像フォーマッティング処理が施される（ステップＳ２４６）。なお、ステップＳ２４５で処理された画像処理済みの画像データは記憶部に一時的に記憶される。
【００６０】
一方、画像生成装置１においては、ステップＳ２４６の画像フォーマッティング処理と並行して、確認画面１１から医用画像の配置位置が修正され、修正されたフォーマット条件が確定入力されると（ステップＳ１４８）、フォーマット条件の修正情報が作成され画像処理装置２へ送信される（ステップＳ１４９）。
【００６１】
画像処理装置２において、画像生成装置１からフォーマット条件の修正情報が受信されると（ステップＳ２４７）、処理中の画像フォーマッティング処理が中止され、修正情報に基づいて、再度ステップＳ２４５で記憶部に記憶された画像処理済みの画像データに対して画像フォーマッティング処理が施されて出力用画像データが作成され（ステップＳ２４８）、作成された出力用画像データが画像生成装置１に送信される（ステップＳ２４９）。
【００６２】
画像生成装置１において、画像処理装置２から出力用画像データが受信されると（ステップＳ１５０）、出力用画像データが画像記録装置３へ送信される（ステップＳ１５１）。
【００６３】
画像記録装置３においては、画像生成装置１から出力用画像データが受信されると（ステップＳ３４１）、記録手段によりプリントが実行され、出力用画像データに基づきフィルム上に画像が記録され（ステップＳ３４２）、ハードコピー出力され（ステップＳ３４３）、図６に示す医用画像処理シーケンスＢは終了する。
【００６４】
図６に示す医用画像処理シーケンスＢは、予め定められた処理パラメータ及びフォーマット条件の修正がある場合を説明したものであるが、この場合、画像生成装置１において確認画面１１を表示してオペレータによる修正及び確定入力を待機する待機時間に、医用画像データを画像処理装置２に送信し、画像処理装置２における医用画像データに対する処理を実行する。即ち、画像生成装置１において確認画面１１を表示してオペレータによる修正及び確定入力を待機するのと並行して、画像処理装置２において、当該医用画像データに対して、予め定められた処理パラメータに基づいて画像処理を施し、次いで、予め定められたフォーマット条件に基づいて画像フォーマッティング処理を施す。画像処理装置２において、画像生成装置１から処理パラメータの修正情報を受信すると、再度医用画像データに対して、受信された処理パラメータの修正情報に基づいて画像処理を施す。画像処理装置２において、画像生成装置１からフォーマット条件の修正情報を受信すると、画像処理の終了後、画像処理済みの画像データに対して、受信されたフォーマット条件の修正情報に基づいて再度画像フォーマッティング処理を実行し、出力用画像データを作成し、画像生成装置１に送信する。画像生成装置１は、出力用データを受信すると、画像記録装置２に送信し、画像記録装置３において出力用画像データを受信すると、出力画像データに基づいてフィルム上に画像を記録し、出力する。即ち、従来のシーケンスで処理する場合に比べ、処理パラメータ及びフォーマット条件に修正があっても、凡そ、画像生成装置１から画像処理装置２への医用画像データ転送時間（ｔ１０５〜ｔ１０６）及び画像処理装置２においてフォーマット条件の修正情報を受信するまでに行った修正情報に基づく画像処理時間（ｔ１１０〜ｔ１１３）からフォーマット条件の修正情報の送受信にかかる時間（ｔ１１４〜ｔ１１５）を差し引いた時間に相当する時間（ｔ１２６〜ｔ１２８）分、撮影から画像の出力までにかかる時間、即ち、撮影から診断用画像の提供までにかかる時間を短縮することが可能となる。
【００６５】
なお、フォーマット条件には修正があるが処理パラメータに修正がない場合も、上述した時間分と同様の短縮が可能である。また、処理パラメータには修正があるがフォーマット条件に修正がない場合は、画像生成装置１から画像処理装置２への医用画像データ転送時間（ｔ１０５〜ｔ１０６）及び処理パラメータの修正情報の送受信後フォーマット条件が確定されるまでの時間（ｔ１１０〜ｔ１１４）に相当する時間、撮影から画像の出力までにかかる時間、即ち、撮影から診断用画像の提供までにかかる時間を短縮することが可能となる。
【００６６】
以上、本発明の実施の形態について説明してきたが、上記実施の形態における記述内容は、本発明に係る医用画像処理システム１００の好適な一例でありこれに限定されるものではない。
【００６７】
例えば、上記実施の形態においては、合成枠、出力枠への医用画像の配置を含む画像フォーマッティング処理を画像処理装置２において行うこととして説明したが、画像処理装置２において、予め定められたフォーマット条件に対する修正情報の有無に応じて、医用画像の配置位置情報、拡大／縮小情報、反転／回転情報等を含むのフォーマット情報を作成して付帯情報に付加するとともに画像処理済みの画像データに対して空き領域への黒化処理、余分な画像データの削除等の処理を施す画像フォーマッティング処理を実行して、付帯情報を処理済みの画像データと併せて画像記録装置３（画像生成装置１）に送信し、画像記録装置３において処理済み画像の合成枠、出力枠への配置を行うようにしてもよい。
【００６８】
また、上記実施の形態においては、医用画像データに処理を施して画像記録装置３からハードコピー出力する場合を例にとり説明したが、画像表示装置に医用画像を表示する場合や画像サーバのデータベースに保存する際においても、上記実施の形態の画像記録装置３を画像表示装置又は画像サーバに置き換えて実施することにより、本発明を適用することが可能である。
【００６９】
また、上記実施の形態においては、画像処理装置２において医用画像データに対し画像処理及び画像フォーマッティング処理の双方を行う場合を例にとり説明したが、何れか一方の処理のみを行う場合であっても、処理パラメータ又はフォーマット条件の確定入力の待機時間に画像処理装置２における処理を実行することで、診断用画像の提供までにかかる時間を短縮化することが可能である。
【００７０】
その他、医用画像処理システム１００を構成する各装置の細部構成及び細部動作に関しても、本発明の趣旨を逸脱することのない範囲で適宜変更可能である。
【図面の簡単な説明】
【００７１】
【図１】本発明に係る医用画像処理システム１００の全体構成を示す図である。
【図２】医用画像処理システム１００において実行される医用画像処理シーケンスＡ（予め定められた処理パラメータ及びフォーマット条件に修正のない場合）を示すフローチャートである。
【図３】医用画像処理システム１００において実行される医用画像処理シーケンスＡ（予め定められた処理パラメータ及びフォーマット条件に修正のある場合）を示すフローチャートである。
【図４】図１の画像生成装置１のモニタに表示される確認画面１１の一例を示す図である。
【図５】医用画像処理システム１００において実行される医用画像処理シーケンスＢ（予め定められた処理パラメータ及びフォーマット条件に修正のない場合）を示すフローチャートである。
【図６】医用画像処理システム１００において実行される医用画像処理シーケンスＢ（予め定められた処理パラメータ及びフォーマット条件に修正のある場合）を示すフローチャートである。
【図７】従来の医用画像処理システムにおいて実行されている医用画像処理シーケンス（画像処理装置で処理された出力画像データを直接画像記録装置に出力する場合）を示すフローチャートである。
【図８】従来の医用画像処理システムにおいて実行されている医用画像処理シーケンス（画像処理装置で処理された出力用画像データを、画像生成装置を介して画像記録装置に出力する場合）を示すフローチャートである。
【符号の説明】
【００７２】
１００  医用画像処理システム
１  画像生成装置
２  画像処理装置
３  画像記録装置
Ｎ  ネットワーク
【図１】
2005287891.tif 000003
【図２】
2005287891.tif 000004
【図３】
2005287891.tif 000005
【図４】
2005287891.tif 000006
【図５】
2005287891.tif 000007
【図６】
2005287891.tif 000008
【図７】
2005287891.tif 000009
【図８】
2005287891.tif 000010